(57)【要約】      （修正有）【課題】足指先の力を靴底に安定して伝達させることができるとともに、足指や足裏の筋肉アップを図ることができる中敷きを提供する。【解決手段】靴の内底に収容可能な中敷き本体４と、前記中敷き本体４の足指側前部６に設けられた前坪１４と、前記前坪１４における前記中敷き本体４と反対側端部に設けられた甲側支え部材１６とを備え、前記甲側支え部材１６は前記前坪１４と接する部分から足指側先端部までの長さSLが、前記前坪１４と接する部分から踵側端部までの長さKLよりも長いことを特徴とする中敷き４とした。【選択図】図２
2020014817.tif 000002
【特許請求の範囲】
【請求項１】
靴の内底に収容可能な中敷き本体と、前記中敷き本体の足指側前部に設けられた前坪と、前記前坪における前記中敷き本体と反対側端部に設けられた甲側支え部材とを備え、前記甲側支え部材は前記前坪と接する部分の中心から足指側先端部までの長さが、前記前坪と接する部分の中心から踵側端部までの長さよりも長いことを特徴とする中敷き。
【請求項２】
前記前坪が前記中敷き本体に対して直立した状態において、前記甲側支え部材の足指側先端部は、前記中敷き本体の足指側先端部と前記前坪直立方向に間隔をおいて略重なることを特徴とする請求項１に記載の中敷き。
【請求項３】
前記靴の前記内底に収容した状態において、前記甲側支え部材の足指側先端部が前記靴の足指側先端部内面に当接し、前記甲側支え部材の外面が前記靴の甲被部に接触するように構成されていることを特徴とする請求項１又は２に記載の中敷き。
【請求項４】
前記前坪は、前記中敷き本体と前記甲側支え部材との間に配設された柔軟性の中空スリーブと、前記中空スリーブを挿通して配設された芯索とを備え、前記芯索の一端部が前記中敷き本体に固定され、その他端部が前記甲側支え部材に固定されていることを特徴とする請求項１〜３のいずれかに記載の中敷き。
【請求項５】
前記前坪は、前記中敷き本体と前記甲側支え部材との間に配設された柱状部材と、前記柱状部材を被う弾性スリーブとを備え、前記柱状部材の一端部が前記中敷き本体に固定され、その他端部が前記甲側支え部材に固定されていることを特徴とする請求項１〜３のいずれかに記載の中敷き。
【請求項６】
前記前坪と前記甲側支え部材とは、一体に構成されたことを特徴とする請求項１〜５のいずれかに記載の中敷き。
【請求項７】
前記甲側支え部材の外面に、前記靴の甲被部への保持を強化する保持強化部が設けられていることを特徴とする請求項１〜６のいずれかに記載の中敷き。
【請求項８】
前記中敷き本体の足指側前部には足指側と踵側とを結ぶ方向に挿通スリットが設けられ、前記前坪が前記挿通スリットにより位置調整可能とされたことを特徴とする請求項１〜７のいずれかに記載の中敷き。
【請求項９】
前記中敷き本体裏面の少なくも足指側前部には、滑りを抑えるための滑止め部材が設けられていることを特徴とする請求項１〜８のいずれかに記載の中敷き。
【請求項１０】
前記中敷き本体の足指側前部における足指を支える部分を含む領域に、前記中敷き本体の厚さを薄くする薄肉部が設けられていることを特徴とする請求項１〜９のいずれかに記載の中敷き。
【請求項１１】
前記前坪が設けられた位置より足指先端側に、親指の開き角度を調整するための調整部が設けられていることを特徴とする請求項１〜１０のいずれかに記載の中敷き。
【請求項１２】
靴本体の内底に請求項１〜１１のいずれかに記載の中敷きが収容されたことを特徴とする靴。
【請求項１３】
当該靴を履いたときに、足指先が前記靴の足指側先端部内面に当接しないように前記前坪の位置が調整されたことを特徴とする請求項１２に記載の靴。
【請求項１４】
少なくとも前記中敷きの前記甲側支え部材の外面に雄型面ファスナ又は雌型面ファスナが設けられていることを特徴とする請求項１２又は１３に記載の靴。
【発明の詳細な説明】
【技術分野】
【０００１】
本発明は、足指先の力を靴底に安定して伝達させることができる中敷き及びこれを備えた靴に関する。
【背景技術】
【０００２】
足指先の力を靴底に安定して伝達させるための中敷きとして、中敷き本体と、この中敷き本体に着脱自在に装着される趾股ブリッジとを備えたものが提案されている（例えば、特許文献１参照）。この趾股ブリッジは、足裏ベース部と、甲被カバー部と、足裏ベース部及び甲被カバー部を接続する趾股ブリッジ部とを備えており、また中敷き本体の前端部にはスリット部が設けられており、この趾股ブリッジの趾股ブリッジ部が中敷き本体のスリット部に挿嵌される。
【０００３】
この中敷きにおいては、足指の第１趾と第２趾との間に趾股ブリッジの趾股ブリッジ部が位置し、かかる第１趾及び第２趾により趾股ブリッジ部が挟まれるようになるために、足指先の瞬発的力を靴の爪先底部にロスなく伝達することができ、運動能力の向上を図ることができる。
【先行技術文献】
【特許文献】
【０００４】
【特許文献１】特許第５８０６４２７号公報
【発明の概要】
【発明が解決しようとする課題】
【０００５】
しかしながら、従来の中敷きでは、趾股ブリッジが中敷き本体のスリット部に着脱自在に挿嵌される構成である故に、下り坂やでこぼこ道を走行する場合などで趾股ブリッジに大きな力が加わると、中敷き本体に対して趾股ブリッジが相対的に移動しやすく、足指先の力を趾股ブリッジ及び中敷き本体を介して靴の爪先底部に確実に伝達することができない。特に、中敷きを靴の内底に収容した状態においては、この趾股ブリッジの足裏ベース部が靴の内底に接触保持され、その甲被カバー部が靴の甲被部内面に接触保持されるので、趾股ブリッジの保持を充分確実に行うことが難しいという問題がある。
【０００６】
また、この趾股ブリッジでは、第１趾と第２趾との間の趾股に趾股ブリッジ部が位置するが、この趾股ブリッジ部が壁状に設けられているので、第１趾及び第２趾により趾股ブリッジ部をつかむことが難く、従って、第１趾を含む足の指先に力が入り難いという問題がある。
【０００７】
本発明の目的は、足指先の力を靴底に安定して伝達させることができるとともに、足指の筋肉アップを図ることができる中敷き及びこれを備えた靴を提供することである。
【課題を解決するための手段】
【０００８】
本発明の中敷きは、靴の内底に収容可能な中敷き本体と、前記中敷き本体の足指側前部に設けられた前坪と、前記前坪における前記中敷き本体と反対側端部に設けられた甲側支え部材とを備え、前記甲側支え部材は前記前坪と接する部分の中心から足指側先端部までの長さが、前記前坪と接する部分の中心から踵側端部までの長さよりも長いことを特徴とする。
【０００９】
このような中敷きにおいては、甲側支え部材の外面に、靴の甲被部への保持を強化する保持強化部を設けるのが好ましく、このように構成することにより、甲側支え部材と靴の甲被部との接触保持が強化され、中敷きを収容した靴を履いて歩行、走行、登山などをしても中敷きと靴との位置関係がずれることがなく、これにより、足の第１趾と第２趾とで挟んだ前坪の位置がずれることがない。
【００１０】
また、前坪が中敷き本体に対して直立した状態において、甲側支え部材の足指側先端部が中敷き本体の足指側先端部と前坪直立方向に間隔をおいて略重なることが好ましく、このように構成することにより、靴の内底に収容した状態では、この甲側支え部材の先端部が靴の先端部内面に確実に当接するようになり、これにより、甲側支え部材の靴の先端側への移動をさらに確実に抑えることができ、前坪を中敷き本体と甲側支え部材との間の所定部位に確実に保持することができる。
【００１１】
また、靴の前記内底に収容した状態において、甲側支え部材の足指側先端部が靴の足指側先端部内面に当接し、甲側支え部材に設けられた保持強化部の外面が靴の甲被部に接触するように構成するのが好ましく、このように構成することにより、甲側支え部材の先端部が靴の先端部内面に当接するとともに、保持強化部の外面が靴の甲被部内面に接触保持され、これにより、甲側支え部材の靴の先端側への移動をさらに確実に抑えることができる。
【００１２】
また、中敷き本体と甲側支え部材との間に配設された柔軟性の中空スリーブ及び中空スリーブを挿通して配設された芯索から前坪を構成し、芯索の一端部を中敷き本体に固定し、その他端部を甲側支え部材に固定するようにしてもよく、このように構成することにより、足の第１趾及び第２趾並びにこれらの間の趾股には柔軟性の中空スリーブが接触するようになり、足に優しい中敷きを提供することができる。
【００１３】
また、中敷き本体と甲側支え部材との間に配設された柱状部材及びこの柱状部材を被う弾性スリーブから前坪を構成し、柱状部材の一端部を中敷き本体に固定し、その他端部を甲側支え部材に固定するようにしてもよく、このように構成することにより、前坪の中心部においては柱状部材により充分な剛性及び強度を確保しながら、足の第１趾及び第２趾並びにこれらの間の趾股には弾性スリーブが接触するようになり、このように構成しても足に優しいが趾股には刺激が強い中敷きを提供することができる。
【００１４】
また、前坪と甲側支え部材とを一体に構成するようにしてもよく、このように構成することにより、例えば合成樹脂などの一体成形により形成することができ、この中敷きの製作の作業性を向上させることができる。
【００１５】
また、甲側支え部材の外面に、靴の甲被部への保持を強化する保持強化部を設けるのが好ましく、このように構成することにより、中敷きの甲側支え部材と靴の甲被部との接触保持が強化され、この中敷きを収容した靴を履いて歩行、走行、登山などしても中敷きと靴との位置関係がずれることがなく、従って、足の第１趾と第２趾とで挟んだ前坪の位置がずれることがない。
【００１６】
また、中敷き本体の足指側前部には足指側と踵側とを結ぶ方向に挿通スリットを設け、前坪を挿通スリットに位置調整自在に挿通した後に中敷き本体に固定するようにしてもよく、このように構成することにより、前坪を挿通スリットに位置調整自在に取り付けることができ、第１趾及び第２趾の間の趾股の深さに応じて前坪の位置を調整して中敷き本体に取り付けることができる。要するに、足の踵から足指の第１趾と第２趾の趾股との長さを個人の足に合わせて調整しておけば、趾股から靴の先端までの長さは多少長くてもしっかりと足を保持することができるため、多少幅広で大きめの靴でも形状重視で靴を選択することができる。
【００１７】
そして、当該靴を履いたときに、足指先が靴の足指側先端部内面に当接しないように前坪の位置を調整することで、足指先端にストレスがかからなくなり、足指先の損傷や疲労を回避できる。また、これにより足指先の筋力を向上させることができる。
【００１８】
また、中敷き本体の少なくとも足指側前部の裏面に、滑りを抑えるための滑止め部材を設けるのが好ましく、このように構成することにより、足の指先の力を中敷き本体を介して靴底に確実に伝えることができ、歩行、走行などをより安定させることができる。
【００１９】
また、中敷き本体の足指側前部における足指を支える部分を含む領域に、中敷き本体の厚さを薄くする薄肉部を設けるようにしてもよく、このように構成することにより、山道や階段を登るときに、足指が中敷き本体に接する部分が薄くなっていることから、足指が踏ん張りやすくなり、これにより、踵側の負担が少なくなり腰痛や膝痛を予防することができるともに、足指の筋力アップをすることができる。
【００２０】
また、前坪が設けられた位置より足指先端側に、足の親指の開き角度を調整するための調整部を設けるようにしてもよく、このように構成することにより、左右から体を押されたときにも足の親指や足の裏に力が入り踏ん張ることができる。また、この調整部の位置を調整することにより、各人毎の外反母趾を矯正することができる。
【００２１】
更に、本発明の靴は、靴本体の内底に請求項１〜１１のいずれかに記載の中敷きを収容したことを特徴とする。
【００２２】
このような靴では、靴を履いたときに、足指先が靴の足指側先端部内面に当接しないように前坪の位置を調整することが好ましく、このように構成することにより、靴を履いたときに、足指先が靴の足指側先端部内面に当接しないようになり、足指先端にストレスがかからず圧迫されなくなり、足指先の損傷や疲労を回避できる。また、これにより足指先の筋力を向上させることができる。
【００２３】
また、保持強化部を雄型面ファスナ又は雌型面ファスナから構成し、対応する雌型面ファスナ又は雄型面ファスナを靴の甲被部内面に設けるようにしてもよく、このように構成することにより、中敷きの甲側支え部材の移動を確実に抑え、前坪の下端部側においては、中敷き本体が靴本体内に収容され、この収容された中敷き本体に足が載って体重が加わることにより、この下端部側の移動が確実に抑えられ、またその上端部側においては、甲側支え部材の先端部が靴本体の先端部内面に当接するとともに、甲側支え部材側の雄型面ファスナ（又は雌型面ファスナ）が靴本体の甲被部内面における対応の雌型面ファスナ（又は雄型面ファスナ）に密着して着脱自在に装着されることにより、この上端部側の移動が確実に抑えられ、その結果、前坪を靴本体内の所定部位に確実に保持することができる。
【発明の効果】
【００２４】
本発明の中敷きによれば、甲側支え部材は前坪と接する部分の中心から足指側先端部までの長さが、前坪と接する部分の中心から踵側端部までの長さよりも長いため、靴の内底に収容した状態において甲側支え部材が靴の先端部内面に当接しやすくなり、甲側支え部材が靴の先端部側に移動するのが抑えられ、前坪は中敷き本体と甲側支え部材との間に確実に支持されるから、前坪に趾股が確実に保持される。
【００２５】
つまり、靴の内底に中敷きを収容した状態で靴を履くと、足の第１趾と第２趾との間の趾股に前坪が位置し、歩くときにこの前坪が趾股に作用し、これにより、歩くときの体重移動が踵から第１趾に向けて直線状に移動するようになり、その結果、足指先の力を靴底に安定して伝えて歩行、走行などを安定させることができる。また、この歩行、走行状態においては、前坪が第１趾と第２趾との間の趾股に作用し、足指に力を入れるときには第１趾及び第２趾がかかる前坪をつかむようなり、そのために、足の指先に力が入って踏ん張りがきくようになり、これによっても歩行、走行などが安定するようになり、また足指の筋力アップを図ることができ、足指にとって優れた中敷き及び靴を提供することができる。
【００２６】
また、本発明の靴によれば、靴本体の内底に上述のいずれかの中敷きが収容されているので、足指先の力を靴底に安定して伝達させることができるとともに、足指の筋力アップを図ることができる。
【図面の簡単な説明】
【００２７】
【図１】本発明に従う中敷きの第１の実施形態を示す斜視図。
【図２】図１の中敷きを示す正面図。
【図３】図１の中敷きを示す平面図。
【図４】図１の中敷きを示す底面図。
【図５】図１の中敷きを示す右側面図
【図６】図５におけるＶＩ−ＶＩ線による断面図。
【図７】図１の中敷きを靴に収容した状態を示す断面図。
【図８】前坪の変形形態を示す断面図。
【図９】本発明に従う中敷きの第２の実施形態における中敷き本体の一部を示す平面図。
【図１０】図９におけるＸ−Ｘ線による断面図。
【図１１】中敷き本体の変形形態を示す断面図。
【図１２】本発明に従う中敷きの第３の実施形態を示す平面図。
【図１３】図１２の中敷きの一部を示す正面図。
【発明を実施するための形態】
【００２８】
以下、添付図面を参照して、本発明に従う中敷き及びこれを備えた靴の種々の実施形態について説明する。まず、図１〜図６を参照して、本発明に従う中敷きの第１の実施形態について説明する。
【００２９】
図１〜図５において、図示の中敷き２は、靴１０２の底部１０４の内面（即ち、内底１０６）（図７参照）の形状に対応した中敷き本体４を備え、この中敷き本体４の足指側前部６は平らに形成され、その踵側後部８における幅方向中央部１０が平らに形成され、その幅方向両側部１２が上側に湾曲して延び、かかる両側部１２の内側面が外方に向けて上方に傾斜して延びている。従って、この中敷き本体４においては、足１０８の裏面が中敷き本体４の平らな部分（即ち、足指側前部６及び踵側後部８の幅方向中央部１０）に位置し、中敷き本体４の幅方向両側部１２が足１０８の踵側を両側から包むようになることで靴１０２に収容可能であるとともに足に対応した形状とされている。
【００３０】
このような中敷き本体４は、例えば柔軟性を有する合成樹脂材料などから形成することができ、その表面を織布などで被うようにしてもよい。また、中敷き本体４として、全体が略平らなものを用いるようにしてもよい。
【００３１】
この中敷き２においては、中敷き本体４の足指側前部６に前坪１４が設けられ、この前坪１４の上端部に甲側支え部材１６が設けられている。前坪１４の長さは任意であるが、当該中敷きを靴に収容して履いたときに足指を圧迫せず、靴の甲被部１１２の内面に当接可能な高さとすることが望ましい。
【００３２】
図６をも参照して、前坪１４は、柔軟性を有する中空スリーブとしての円筒状中空スリーブと、この円筒状中空スリーブ１８を挿通して配設された一対の芯索２０，２２とを備え、中空スリーブ１８は、例えば合成樹脂材料から形成することができ、一対の芯索２０，２２は、例えば布を紐状にしたものなどを用いることができる。尚、一対の芯索２０，２２を一つにまとめたものを用いるようにしてもよく、またこの円筒状スリーブ１８を省略するようにしてもよい。
【００３３】
この第１の実施形態では、円筒状中空スリーブ１８の一端（下端、すなわち中敷き本体４側の端部）は、中敷き本体４の足指側前部６の表面に当接するように配設され、その他端（上端、すなわち甲側支え部材１６側の端部）は、甲側支え部材１６の内面に当接するように配設され、一対の芯索２０，２２の一端側を中空スリーブ１０の一端側を通して中敷き本体４に固定するとともに、それらの他端側を中空スリーブ１０の他端側を通して甲側支え部材１６に固定することにより、中敷き本体４と甲側支え部材１６との間に支持される。
【００３４】
この第１の実施形態では、一対の芯索２０，２２の一端側は、例えば、中敷き本体４に形成された挿通スリット２４を通してその裏側に突出させ、図４に破線で示すように、それらの一端部を拡げて中敷き本体４の外面に接着剤などで固着することにより、この中敷き本体４に固定される。また、一対の芯索２０，２２の他端側は、図示していないが、例えば、それらの他端部を拡げて甲側支え部材１６の内面に接着剤などで固定することにより、この甲側支え部材１６に固定される。この挿通スリット２４は、中敷き本体４の足指側と踵側とを結ぶ方向に延びており、従って、前坪１４はかかる方向に位置調整することができる。
【００３５】
この第１の実施形態では、中敷き本体４の挿通スリット２４を通して一対の芯索２０，２２が取り付けられているので、一対の芯索２０，２２を固定する前の状態では、これら芯索２０，２２を挿通スリット２４に沿って中敷き本体４の前後方向（図７の左右方向）に移動させることができ、このように移動させることにより、中敷き本体４に対する前坪１４の取付位置を調整することができる。
【００３６】
例えば、階段を降りるときや山道を下るときには、通常、足指先が靴の足指側先端部内面に圧迫されてストレスを受けることがある。これにより、足指先が損傷したり体全体の疲労感につながることがある。そのため、当該靴を履いたときに、足指先が靴の足指側先端部内面に当接しない位置に挿通スリット２４を利用して前坪１４の位置を設定することができる。
【００３７】
尚、この形態では、前坪１４の円筒状中空スリーブ１８の一端（下端）を中敷き本体４の表面に当接させているが、このような構成に代えて、中敷き本体４の足指側前部６に挿通開口を設け（この場合、スリット２４は省略される）、この挿通開口内に円筒状中空スリーブ１８の一端部を位置付けて接着剤などにより固定するとともに、この挿通開口内の中空スリーブ１８の一端側を通して一対の芯索２０，２２の一端側を中敷き本体４の裏面側に突出させて上述したように固定するようにしてもよい。
【００３８】
また、この第１の実施形態では、前坪１４の円筒状中空スリーブ１８の他端（上端）を甲側支え部材１６の内面に当接させているが、このような構成に代えて、前坪１４の下端部側と同様に、甲側支え部材１６に挿通開口を設け、この挿通開口内に円筒状中空スリーブ１８の他端部を位置付けて接着剤などにより固定するとともに、その挿通開口内の中空スリーブ１８の他端側を通して一対の芯索２０，２２の他端側を甲側支え部材１６の外面側に突出させて上述したように固定するようにしてもよい。
【００３９】
尚、この第１の実施形態においては、中空スリーブ１８を円筒状にしているが、必ずしもこれに限定されず、適宜変更が可能である。例えば、三角柱状、六角柱状、楕円柱状などにしてもよく、このように構成しても、中空スリーブ１８を趾股にしっかりと保持することができる。
【００４０】
また、甲側支え部材１６は、例えば合成樹脂材料から形成することができ、その幅Ｗ（図３参照）は、足の第１趾及び第２趾の幅よりも大きくなるように構成され、このように構成することにより、前坪１４を確実に支持することができる。
【００４１】
また、図２及び図３に示すように、この甲側支え部材１６は略平板形状であって前坪１４と接する部分の中心から足指側先端部までの長さＳＬが、前坪１４と接する部分の中心から踵側端部までの長さＫＬよりも長く構成されている。そのため、甲側支え部材１６の足指側先端部は、中敷き本体４の足指側先端部方向に延び、踵側には長く延び過ぎないように構成している。尚、この甲支え部材１６の踵側部分が前坪１４から踵側にほとんど突出しないように構成することもでき、この場合、前坪１４と接する部分の中心から踵側端部までの長さは、前坪１４の半径とほぼ等しくなる。
【００４２】
このように構成することにより、靴１０２の内底１０６に収容した状態では、図７に示すように、甲側支え部材１６の先端部が靴１０２の先端部１１０の内面に当接しやすくなり、甲側支え部材１６の靴１０２の先端側への移動を確実に抑えることができるとともに、甲側支え部材１６が踵側には長く延び過ぎていないため足の挿入を妨げないように構成されている。この甲側支え部材１６は、ある程度の剛性を有するのが望ましく、これにより、甲側支え部材１６の先端部が靴の先端部内面に当接して大きく弾性変形することがなく、その結果、前坪１４が前方に移動するのを抑えることができる。
【００４３】
この中敷き２においては、前坪１４の直立した状態において、甲側支え部材１６の先端部が中敷き本体４の先端部と前坪直立方向に間隔をおいて略重なるように構成するのが好ましい。これにより、確実に甲側支え部材１６の先端部を靴１０２の先端部１１０の内面に確実に当接させることができる。
【００４４】
この収容状態においては、甲側支え部材１６の外面が靴１０２の甲被部１１２に接触し、この接触による甲被部１１２との間の摩擦、また甲側支え部材１６の変形抑制によっても甲側支え部材１６の靴１０２の先端側への移動を防止することができ、その結果、前坪１４を中敷き本体４と甲側支え部材１６との間、即ち靴１０２内の前部の所定部位に確実に保持することができる。
【００４５】
この第１の実施形態では、中敷き本体４の足指側前部６の裏面に滑止め部材３２が配設されている。この滑止め部材３２の表面には、適宜の滑止め形状が施されている。この滑止め部材３２は、例えばゴム、合成ゴムなどの材料から形成され、例えば接着剤などにより中敷き本体４に固定される。この滑止め部材３２を設けることにより、足指先からの力が中敷き本体４及び滑止め部材３２を介して靴１０２の内底１０６に確実に伝達され、歩行、走行を安定させることができる。また、このように構成することにより、一対の芯索２０，２２の一端部（中敷き本体４の裏面に露出する端部）が滑止め部材３２により被われ、これら芯索２０，２２の一端部をより確実に固定することができるとともに、中敷き２の前部底面を平坦にすることができる。この滑止め部材３２は、中敷き本体４の少なくとも足指側前部６の裏面に設けることにより所望の効果を達成することができるが、中敷き本体全体の裏面に設けるようにしてもよい。
【００４６】
更に、この第１の実施形態では、甲側支え部材１６の内面に一対のカバー部材３４が設けられている（図２、図５及び図６参照）。このカバー部材３４は、例えば織布、不織布、革、ゴム、合成樹脂などから形成され、上述した記載から理解されるように、一対の芯索２０，２２の他端部（甲側支え部材１６の内面に露出する端部）を被うようになり、これら芯索２０，２２の他端部をより確実に固定することができる。
【００４７】
この中敷き２は、図７に示すように、例えばウォーキングシューズ、運動シューズ、スポーツシューズなどの靴１０２内に収容され、その内底１０６の表面に載置される。この収容状態においては、図７に示すように、中敷き本体４の先端部が靴１０２の先端部１１０の下端部位内面に当接し、甲側支え部材１６の先端部が靴１０２の先端部１１０の上端部位内面に当接するようになり、これにより、中敷き本体４及び甲側支え部材１６、換言すると前坪１４の靴１０２の先端側への移動が確実に抑えられ、この前坪１４を靴１０２内の前部に確実に保持することができる。また、この前坪１４の下端部側においては、靴１０２を履いたときには、足１０８が中敷き本体４の上に載るので、体重が足１０８を介して中敷き本体４に作用し、これによっても前坪１４の下端部側の移動が抑えられる。
【００４８】
この前坪１４の上端側の移動をより確実に抑えるためには、図示していないが、甲側支え部材の外面に靴１０２の甲被部への保持を強化する保持強化部を設けることができる。保持強化部としては、例えば、少なくとも甲側支え部材１６の外面に設けられた面ファスナ（雄型面ファスナ又は雌型面ファスナ）から構成することができ、このように面ファスナを設けることにより、中敷き２側の甲側支え部材１６の移動をより確実に抑えことができるとともに、この前坪１４を常に直立した状態に保つことができ、その結果、この中敷き２を収容した靴１０２の履き易さが改善される。
【００４９】
また、中敷き２の甲側支え部材１６の外面に設けた例えば雄型面ファスナ（又は雌型面ファスナ）に着脱自在に装着される例えば雌型面ファスナ（又は雄型面ファスナ）を靴１０２本体の甲被部１１２側内面に設けるようにしてもよい。これにより、さらに確実に前坪１４を靴１０２本体内の所定部位に確実に保持することができる。これらの雄型面ファスナ（又は雌型面ファスナ）は、甲側支え部材１６の外面に接着剤により貼付する、或いは糸（又は紐）で縫い付けることができる。
【００５０】
このように面ファスナを利用して甲側支え部材１６を靴１０２の甲被部１１２の内面に着脱自在に装着するようにしてもよいが、このように構成することに代えて、この甲側支え部材１６を靴１０２の甲被部１１２の内面に接着剤などにより固定する、或いはこの甲被部１１２に糸などで縫い付けるようにしてもよい。
【００５１】
この中敷き４を収容した靴１０２では、足１０８の第１趾と第２趾の間の趾股内に前坪１４が位置するように靴１０２を履くようになる。この靴１０２を履いて歩行（走行）すると、前坪１４が第１趾及び第２趾の間の趾股に作用し、これにより、歩くときの体重移動が踵から第１趾に向けて直線状に移動するようになり、その結果、足指先の力を靴底に伝えて安定的に歩行（走行）することができる。また、この歩行（走行）状態においては、前坪１４が第１趾と第２趾との間の趾股に作用するために、地面を蹴る際に踏ん張りがきいて足の指先に力が入り、これによっても歩行（走行）を安定させることができ、また蹴る際の踏ん張りがきくために足指や足裏の筋力増強を図ることができる。その結果、歩行姿勢の改善につながり、腰痛、膝痛などを防止することができる。また、前坪１４の外形が円筒状であるので、第１趾及び第２趾によりつかみやすく、これにより、足の指先に力が入って蹴る際により踏ん張りやすく、足指や足裏の筋力アップを図ることができる。
【００５２】
例えば、前坪として図８に示すように構成するようにしてもよい。変形形態の前坪を示す図８において、この前坪１４Ａは、柱状部材５２と、この柱状部材５２を被う弾性スリーブとしての例えば円筒状弾性スリーブ５４とから構成され、この柱状部材５２及び円筒状弾性スリーブ５４が中敷き本体４Ａと甲側支え部材１６Ａとの間に配設されている。
【００５３】
この変形形態では、柱状部材５２の一端側に下雌ねじ孔５６が設けられ、中敷き本体４Ａを通して取付ねじ５８の雄ねじ部６０をこの下雌ねじ孔５６に螺着することにより、柱状部材５２の下端部が中敷き本体４Ａに固定される。また、この柱状部材５２の他端側に上雌ねじ孔６２が設けられ、甲側支え部材１６Ａを通して取付ねじ６４の雄ねじ部６６をこの上雌ねじ孔６２に螺着することにより、柱状部材５２の上端部が孔側支え部材１６Ａに固定される。
【００５４】
このような前坪１４Ａにおいては、柱状部材５２が鉄、ステンレス鋼などの金属材料、硬質の合成樹脂材料などから形成することができ、このような材料から形成することにより、柱状部材５２に剛性及び強度を持たせることができる。また、弾性スリーブ５４としては、柔らかい合成樹脂材料、発泡樹脂材料などから形成することができ、このように構成することによって、足に優しいが第１と第２趾との間の趾股には刺激が強い中敷きを提供することができる。
【００５５】
尚、別の変形形態の前坪として、取付ねじ５８（又は取付ねじ６４）を長くして柱状部材５２及び甲側支え部材１６Ａ（又は柱状部材５２及び中敷き本体４Ａ）を挿通させ、甲側支え部材１６Ａ（又は中敷き本体４Ａ）から突出する雄ねじ部６０（又は６６）にナット（図示せず）を螺着して固定するようにしてもよく、この場合、他方の取付ねじ６４（又は５８）は省略される。これにより、構成を簡易化でき組立性を向上させることができる。このような構成に代えて、柱状部材５２を省略し、弾性スリーブ５４内を取付ねじ５８（又は６４）の雄ねじ部６０（又は６６）を挿通させ、甲側支え部材１６（又は中敷き本体４Ａ）から突出する雄ねじ部６０（又は６６）にナットを螺着して固定するようにしてもよい。
【００５６】
さらなる別の変形形態としての前坪では、前坪１４Ａと甲側支え部材１６Ａとを合成樹脂等により一体として構成してもよい。その場合は、前坪１４Ａの下端側を中敷き本体４に固定するようにすればよい。
【００５７】
次いで、図９〜図１１を参照して、本発明に従う中敷きの第２の実施形態について説明する。この第２の実施形態では、中敷き本体の足指側前部における足指を支える部分を含む領域に、中敷き本体の厚さを薄くした薄肉部を設けた点で、第１の実施形態のものと異なっている。
【００５８】
図９において、この第２の実施形態の中敷き２０２においては、中敷き本体２０４の足指側前部２０６における足指を支える部分を含む領域に、中敷き本体２０４の厚さを薄くした薄肉部２６１が設けられ、この薄肉部２６１は、足指側前部に逆Ｖ字形状に設けてられている。この第２の実施形態では、図１０に示すように、中敷き本体２０４の足が接する表面側の面を削り厚Ｄだけ除去して薄肉部２６１Ａが形成されている。尚、上述した構成に限定されず、図１１に示すように、中敷き本体２０４の足が接する側と反対側の靴が接する裏面側の面を削り厚Ｄだけ除去して薄肉部２６１Ｂを形成するようにしてもよく、或いは中敷き本体２０４の表面側及び裏面側の双方の面を所望の削り厚だけ除去して薄肉部を形成するようにしてもよい。この薄肉部２６１Ａ（２６１Ｂ）を形成するための削り厚Ｄは任意であるが、足指の自由度ができるだけ確保でき、足指で踏ん張れることが望ましい。
【００５９】
尚、第２の実施形態においては、薄肉部２６１（２６１Ａ，２６１Ｂ）を逆Ｖ字形状に形成しているが、必ずしもこれに限定されず適宜変更が可能である。例えば、各指の接する部分のみに薄肉部を形成するようにしてもよいし、各指との接する部分に加えて母趾球までを含む領域に薄肉部を形成するようにしてもよい。少なくとも親指を含む各指が中敷き本体２０４に接する部分を含む領域に薄肉部が存在していればよい。
【００６０】
このように第２の実施形態においては、中敷き本体２０４の足指側前部における足指を支える部分を含む領域に、中敷き本体の厚さを薄くする薄肉部２６１（２６１Ａ，２６１Ｂ）を設けたことにより、山道や階段を登るときに足指が中敷き本体２０４に接する部分が薄くなることによって、足指が踏ん張りやすくなり、踵側の負担が少なくなり、腰痛や膝痛を予防することができる。また、足指の自由度が向上するため、足指の筋力アップも期待できる。
【００６１】
次に、図１２及び図１３を参照して、本発明に従う中敷きの第３の実施形態について説明する。この第３の実施形態では、親指の開き角度を調整するための調整部を設けた点で、上述の第１及び第２の実施形態と異なっている。
【００６２】
図１２及び図１３において、この第３の実施形態の中敷き３０２においては、前坪１４に加えて親指の開き角度を調整するための調整部３１９が設けられ、この調整部３１９は、中敷き本体３０４の前坪３１４が設けられた位置より足指先端側に設けられている。
【００６３】
この調整部３１９は、前坪３１４と同様の材質及び形状を有していて、その下端部が中敷き本体３０４に固定され、その上端部が甲側支え部材３１６に固定されている。前坪３１４からの位置関係は、前坪３１４よりも足指先端側に距離Ａだけ離れて調整部３１９は設けられ、この距離Ａは各人の足の親指の大きさによって任意であるが、この第３の実施形態においては、この距離Ａは、例えば２５ｍｍとしている。この距離Ａは、各人の足指の大きさや形状により調整可能に構成してもよい。この距離Ａの調整は、中敷き本体３０４に設けたスリットに調整部３１９の一端部を挿通するととともに、甲側抑え部材に設けたスリットにその他端部を挿通することにより行うことができる。
【００６４】
この調整部３１９を設けることにより、親指を外方（人差し指とは反対側）に開く角度を調整することができる。例えば、スリットを用いて前後方向の位置を調整して、各人に合わせた最適な角度とすることにより、左右から体を押されたときにも足の親指や足の裏に力が入り踏ん張ることができる。また、その位置を左右方向にも調整することにより、各人毎の外反母趾を矯正することができる。
【００６５】
第３の実施形態においては、前坪３１４が設けられた位置より足指先端側の位置に調整部３１９を設けることとしたが、さらに、親指と人差し指の開き角度が大きくなるように、その配設位置を親指方向に寄った位置に調整してこの調整部３１９を設けるようにしてもよい。この場合、前坪３１４から親指方向に斜めに新たなスリットを設けて、その新たなスリットに調整部３１９を挿通させることにより、位置の調整が可能となる。親指（第１趾）と人差し指（第２趾）の開き角度が大きくなるようにすることにより、さらに外反母趾を矯正することができる。
【００６６】
この第３の実施形態においては、調整部３１９は、前坪１４と同様の材質及び形状を有してもよい。例えば、上述した前坪１４における柔軟性を有する中空スリーブとしての中空スリーブ１８と、この中空スリーブ１８を挿通して配設された一対の芯索２０，２２とを備えた構成としてもよいし、中空スリーブ１８を省略し一対の芯索２０，２２のみの構成としてもよい。また、上述した柱状部材５２と、この柱状部材５２を被う弾性スリーブとしての円筒状弾性スリーブ５４として調整部３１９としてもよい。その際に、前坪１４の構成と調整部３１９の構成は異なってもよい。さらに、甲側支え部材３１６、前坪１４及び調整部３１９を一体に形成してもよい。
【００６７】
このように、第３の実施形態においては、前坪が設けられた位置より足指先端側に、親指の開き角度を調整するための調整部を設けているので、左右から体を押されたときにも足の親指や足の裏に力が入り踏ん張ることができる。また、その位置を調整することにより、各人毎の外反母趾を矯正することができる。
【００６８】
以上、本発明に従う中敷き及びこれを備えた靴の種々の実施形態について説明したが、本発明はこれら実施形態に限定されるものではなく、本発明の範囲を逸脱することなく種々の変形乃至修正が可能である。
【００６９】
例えば、上述の実施形態では、中敷き本体を靴の内底全体の形状に対応させ、この内底全域を被うように収容するように構成しているが、このような構成に限定されず、中敷き本体を靴の内底の前部形状に対応させ、靴の内底の前部領域を被うように収容するようにしてもよい。
【００７０】
また、例えば、上述の実施形態では、ウォーキングシューズ、運動シューズ、スポーツシューズなどの靴に適用して説明したが、本発明は、これら形態の靴に限定されず、ブーツ、雪用靴、長靴、作業シューズ、登山靴、釣り用靴などの各種形態の靴に広く適用することができる。
【符号の説明】
【００７１】
２，２０２，３０２  中敷き
４，４Ａ，２０４，３０４  中敷き本体
６  足指側前部
８  踵側後部
１４，１４Ａ  前坪
１６，１６Ａ，３１６  甲側支え部材
１８  中空スリーブ
２０，２２  芯索
３２  滑止め部材
５２  柱状部材
５４  弾性スリーブ
１０２  靴
１０６  内底
１０８  足
１１２  甲被部
２６１，２６１Ａ，２６１Ｂ  薄肉部
３１９  調整部
【図１】
2020014817.tif 000003
【図２】
2020014817.tif 000004
【図３】
2020014817.tif 000005
【図４】
2020014817.tif 000006
【図５】
2020014817.tif 000007
【図６】
2020014817.tif 000008
【図７】
2020014817.tif 000009
【図８】
2020014817.tif 000010
【図９】
2020014817.tif 000011
【図１０】
2020014817.tif 000012
【図１１】
2020014817.tif 000013
【図１２】
2020014817.tif 000014
【図１３】
2020014817.tif 000015